(57)【要約】【課題】操作者に手間をかけさせることなく生体情報モニタの表示データの視認性を向上させること。【解決手段】生体情報モニタは、患者の生体情報データを取得する生体情報取得部と、取得された生体情報データの計測値をリアルタイムで表示する表示部と、を有する生体情報モニタであって、前記生体情報モニタの使用環境の変化を検知する検知部と、表示される計測値の文字のサイズまたは書体を、前記検知部により検知された前記生体情報モニタの使用環境の変化に応じて変更させる表示処理部と、を有する。【選択図】図５
2014161681.tif 000002
【特許請求の範囲】
【請求項１】
患者の生体情報データを取得する生体情報取得部と、取得された生体情報データの計測値をリアルタイムで表示する表示部と、を有する生体情報モニタであって、
前記生体情報モニタの使用環境の変化を検知する検知部と、
表示される計測値の文字のサイズまたは書体を、前記検知部により検知された前記生体情報モニタの使用環境の変化に応じて変更させる表示処理部と、
を有する生体情報モニタ。
【請求項２】
前記表示部は、取得された生体情報データの計測値をリアルタイムで表示する計測値表示部と、取得された生体情報データの波形をリアルタイムで表示する波形表示部と、を有し、
前記表示処理部は、表示される波形の大きさを変更させずに、表示される計測値の文字のサイズまたは書体を変更させる、
請求項１に記載の生体情報モニタ。
【請求項３】
前記検知部は、前記表示部の周囲に人がいるか否かに基づいて前記使用環境の変化を検知し、
前記表示処理部は、人が前記表示部の周囲から離れている場合に、表示される計測値の文字のサイズを拡大し、または表示される計測値の文字の書体を強調用書体に変更する、
請求項１または２に記載の生体情報モニタ。
【請求項４】
入力操作を受け付ける入力部を有し、
前記表示処理部は、人が前記表示部の周囲に近づいて前記入力操作を行った場合に、表示される計測値の文字のサイズまたは書体を元に戻す、
請求項３に記載の生体情報モニタ。
【請求項５】
前記検知部は、外光の明るさに基づいて前記使用環境の変化を検知し、
前記表示処理部は、外光の明るさが所定レベルを上回っている場合に、表示される計測値の文字のサイズを拡大し、または表示される計測値の文字の書体を強調用書体に変更する、
請求項１または２に記載の生体情報モニタ。
【請求項６】
前記表示処理部は、外光の明るさが前記所定レベルを下回っている場合に、表示される計測値の文字のサイズまたは書体を元に戻す、
請求項５に記載の生体情報モニタ。
【請求項７】
前記表示部と前記表示処理部とを有するモニタ本体と、
前記モニタ本体を載置可能な載置台と、を有し、
前記検知部は、前記モニタ本体が前記載置台から分離されたことを検知し、
前記表示処理部は、前記モニタ本体が前記載置台から分離されている場合に、表示される計測値の文字のサイズを拡大し、または表示される計測値の文字の書体を強調用書体に変更する、
請求項１または２に記載の生体情報モニタ。
【請求項８】
前記検知部は、前記モニタ本体が前記載置台に載置されたことを検知し、
前記表示処理部は、前記モニタ本体が前記載置台に載置されている場合に、表示される計測値の文字のサイズまたは書体を元に戻す、
請求項７に記載の生体情報モニタ。
【発明の詳細な説明】
【技術分野】
【０００１】
本発明は、生体情報モニタに関する。
【背景技術】
【０００２】
生体情報モニタは、患者から計測された心拍数や血圧、呼吸数などの生体情報を数値または波形の形式で表示部に一括表示させることができる医療機器である（例えば、特許文献１参照）。このような生体情報モニタは一般に、心電電極および各種生体情報計測用のセンサが接続されて患者から生体情報を取得するための入力装置、取得された生体情報を表示するための表示装置、ならびにこれらを駆動させるための電源装置を備えて構成されている。
【０００３】
また、患者搬送などの移動時にも使用可能となるようにバッテリを内蔵して、商用電源および内蔵バッテリのどちらでも駆動可能な生体情報モニタも、従来知られている（例えば、特許文献２参照）。このような患者搬送の用途で使用される生体情報モニタの本体には、その持ち運びに便利な把手部が設けられる場合がある。
【先行技術文献】
【特許文献】
【０００４】
【特許文献１】特開２００４−１９４９９６号公報
【特許文献２】特開２０１０−２００８９６号公報
【発明の概要】
【発明が解決しようとする課題】
【０００５】
ところで、患者搬送用途で使用可能な生体情報モニタは、患者とともに移動させて使用できるため、その使用環境は様々に変化する。その使用環境の変化によっては、生体情報モニタに表示される画面の視認性が低下することがある。そのような場合において、例えば表示画面のコントラスト調整など、視認性向上のための機能が生体情報モニタに装備されている場合には、操作者が必要に応じて適宜調整を行えば良い。しかしながら、そのような手作業は操作者にとって手間であるため、生体情報モニタの利便性向上に一定の限界がある。
【０００６】
本発明の目的は、操作者に手間をかけさせることなく表示データの視認性を向上させることができる生体情報モニタを提供することである。
【課題を解決するための手段】
【０００７】
本発明の生体情報モニタは、
患者の生体情報データを取得する生体情報取得部と、取得された生体情報データの計測値をリアルタイムで表示する表示部と、を有する生体情報モニタであって、
前記生体情報モニタの使用環境の変化を検知する検知部と、
表示される計測値の文字のサイズまたは書体を、前記検知部により検知された前記生体情報モニタの使用環境の変化に応じて変更させる表示処理部と、
を有する。
【発明の効果】
【０００８】
本発明によれば、操作者に手間をかけさせることなく生体情報モニタの表示データの視認性を向上させることができる。
【図面の簡単な説明】
【０００９】
【図１】本発明の実施の形態１に係る生体情報モニタの外観を示す正面斜視図および背面斜視図
【図２】本発明の実施の形態１に係る生体情報モニタの各コンポーネントを分離した状態を示す図
【図３】本発明の実施の形態１に係るキャリアの底面を示す図
【図４】本発明の実施の形態１に係るベースユニットの外観を示す背面斜視図
【図５】本発明の実施の形態１に係る生体情報モニタの構成を示すブロック図
【図６】本発明の実施の形態１に係る生体情報モニタの表示画面において計測値が通常文字サイズで表示された場合を説明するための図
【図７】本発明の実施の形態１に係る生体情報モニタの表示画面切り替え処理動作を説明するためのフローチャート
【図８】本発明の実施の形態１に係る生体情報モニタの表示画面において計測値が拡大文字サイズで表示された場合を説明するための図
【図９】本発明の実施の形態２に係る生体情報モニタの構成を示すブロック図
【図１０】本発明の実施の形態２に係る生体情報モニタの表示画面切り替え処理動作を説明するためのフローチャート
【図１１】本発明の実施の形態２に係る生体情報モニタのモニタ本体とベースユニットとを分離した状態を示す図
【図１２】本発明の実施の形態３に係る生体情報モニタの構成を示すブロック図
【図１３】本発明の実施の形態３に係る生体情報モニタの表示画面切り替え処理動作を説明するためのフローチャート
【発明を実施するための形態】
【００１０】
以下、本発明の実施の形態について、図面を用いて詳細に説明する。
【００１１】
（実施の形態１）
図１は本発明の実施の形態１に係る生体情報モニタの外観を示す正面斜視図（図１（ａ））および背面斜視図（図１（ｂ））である。また、図２は本実施の形態に係る生体情報モニタの各コンポーネントを分離した状態を示す図であり、図３は本実施の形態に係る生体情報モニタのキャリアの底面を示す図である。
【００１２】
本実施の形態の生体情報モニタ１は、キャリア１００、入力装置２００、表示装置３００およびベースユニット４００といった４つのコンポーネントから構成されている。
【００１３】
入力装置２００は、患者に装着された生体情報検出部を接続させるための入力コネクタ部２０１を有し、この入力コネクタ部２０１を介して患者から生体情報データを取得するための装置である。また、表示装置３００は、入力装置２００により取得された生体情報データを表示するための表示部３０１を有する装置である。また、ベースユニット４００は、ベッドサイドなどの所定の場所に設置され、生体情報モニタ１のモニタ本体１ａ（つまりキャリア１００と入力装置２００と表示装置３００との組合せ）を載置するための載置台として用いられる装置である。
【００１４】
キャリア１００は、生体情報モニタ１あるいはその一部のコンポーネントを持ち運ぶために各コンポーネントと連結可能に構成されたキャリア本体１００ａを有する。また、キャリア本体１００ａには、連結されたコンポーネントとともにキャリア本体１００ａを持ち運ぶ際に把持可能に構成された把手部１０１が、設けられている。図１では、入力装置２００、表示装置３００およびベースユニット４００はキャリア１００との連結によって相互に一体化されているが、図２に示すように、各コンポーネントをキャリア１００から分離させることもできる。
【００１５】
そのため、キャリア１００のキャリア本体１００ａは、入力装置２００を装着可能な第１装着部１０２と、表示装置３００を装着可能な第２装着部１０３と、を有し、キャリア本体１００ａの底部１０４は、ベースユニット４００上に載置可能に構成されている。
【００１６】
第１装着部１０２は、キャリア本体１００ａの側面開口部から入力装置２００を挿入することで入力装置２００をキャリア本体１００ａに装着できるように構成されている。挿入された入力装置２００がキャリア本体１００ａの挿入方向最深部に突き当たると、入力装置２００のコネクタ部２０２（図５参照）がキャリア１００の第１コネクタ部１０５（図５参照）に接続された状態で、入力装置２００がキャリア１００に保持される。入力装置２００は、挿入時と逆の方向に引き抜くことで、キャリア本体１００ａから分離させることができる。
【００１７】
第２装着部１０３は、表示装置３００の背面に設けられたコネクタ部３０２（図５参照）を上方から差し込むことで表示装置３００をキャリア本体１００ａに装着できるように構成されている。コネクタ部３０２が第２装着部１０３に差し込まれて係止されると、表示装置３００がキャリア本体１００ａに保持される。表示装置３００は、差し込むときと逆に上方に引き抜くことで、キャリア本体１００ａから分離させることができる。
【００１８】
キャリア本体１００ａの底部１０４には、係合突起部１０６および第３コネクタ部１０７が設けられている。係合突起部１０６をベースユニット４００の上面４０１（図４参照）に設けられた係合凹部４０２（図４参照）の位置に合わせてキャリア本体１００ａの底部１０４をベースユニット４００の上面４０１に上方から被せると、係合突起部１０６が係合凹部４０２と係合して安定的にキャリア本体１００ａをベースユニット４００上に載置させることができる。また、係合突起部１０６が係合凹部４０２と係合するときには、ベースユニット４００の上面４０１に設けられたコネクタカバー４０３（図４参照）が開いて、その内部に配置されたベースユニット４００のコネクタ部４０４（図５参照）にキャリア本体１００ａの第３コネクタ部１０７が接続される。キャリア本体１００ａは、ベースユニット４００のロック解除ボタン４０５（図４参照）を押しながらキャリア本体１００ａの把手部１０１を掴んでキャリア本体１００ａを上方に持ち上げることで、キャリア本体１００ａをベースユニット４００から分離させることができる。
【００１９】
図４は、ベースユニット４００の外観を示す背面斜視図である（図４（ａ）、図４（ｂ））。ベースユニット４００の背面には、取り外し可能なカバー４０６を有する。このカバー４０６は、ネットワークインタフェース部４０７などを覆うための部材である。このカバー４０６を取り外した後に、ネットワークインタフェース部４０７に、外部装置との通信を可能にする接続手段（例えばＬＡＮケーブルなど）を接続することで、生体情報モニタ１のコンポーネントを通信ネットワーク７００（図５参照）経由で外部装置と通信させることが可能となる。また、ベースユニット４００の背面には、商用電源６００（図５参照）に接続するための電源コードコネクタ部４０８を有する。電源コードを電源コードコネクタ部４０８に接続することで、商用電源６００から電源供給を受けることが可能となる。
【００２０】
図５は、本実施の形態の生体情報モニタ１の構成を示すブロック図であり、各コンポーネントの機能的構成を概略的に示したものである。前述のとおり生体情報モニタ１は、キャリア１００、入力装置２００、表示装置３００、およびベースユニット４００を有する。なお、図５においてブロック間を接続する実線は各種生体情報データや操作信号などの伝送経路を示し、点線は電源供給経路を示す。
【００２１】
入力装置２００は、入力コネクタ部２０１、コネクタ部２０２、計測処理部２０３、記憶部２０４、および電源制御部２０５を有する。
【００２２】
入力コネクタ部２０１は、患者に装着された生体情報検出部を入力装置２００に接続させるためのコネクタである。本実施の形態では、生体情報検出部は、心電図を検出するための心電電極５０１、血圧を検出するための血圧測定用カフ５０２、体温を検出するための体温センサ５０３、ＳｐＯ２を検出するためのＳｐＯ２センサ５０４、および心拍出量を検出するための心拍出量センサ５０５を含むが、生体情報検出部はこれらに限られない。よって、本実施の形態では、入力コネクタ部２０１は、心電電極５０１を接続させるための第１入力コネクタ部２０１ａ、血圧測定用カフ５０２を接続させるための第２入力コネクタ部２０１ｂ、体温センサ５０３を接続させるための第３入力コネクタ部２０１ｃ、ＳｐＯ２センサ５０４を接続させるための第４入力コネクタ部２０１ｄ、および心拍出量センサ５０５を接続させるための第５入力コネクタ部２０１ｅから構成されている。入力コネクタ部２０１は、接続された生体情報検出部と計測処理部２０３との間のインタフェースとして機能する。
【００２３】
計測処理部２０３は、記憶部２０４に記憶されたプログラムを実行することで、所定の計測処理を実行する。この計測処理によって、計測処理部２０３は、入力コネクタ部２０１に接続された生体情報検出部を用いて患者の生体情報データを計測する。なお、上記生体情報検出部を用いた各種生体情報の計測方法については従来周知のものを適用可能であるため、ここではその詳細な説明を省略する。また、計測処理部２０３は、過去に計測されて記憶部２０４に記憶されている生体情報データを読み出すこともできる。
【００２４】
記憶部２０４は、計測処理部２０３により実行されるプログラムや計測処理部２０３により計測された生体情報データを記憶する。
【００２５】
コネクタ部２０２は、入力装置２００がキャリア１００に装着されたときにキャリア１００の第１コネクタ部１０５と接続し、これによりキャリア１００と入力装置２００とを電気的に接続させるコネクタである。キャリア１００と入力装置２００との間における電源供給および生体情報データ伝送の経路は、キャリア１００と入力装置２００とが電気的に接続された状態のときに接続され、キャリア１００と入力装置２００とが電気的に切断された状態のときに遮断される。
【００２６】
電源制御部２０５は、入力装置２００の外部からコネクタ部２０２を介して電源供給を受け、これにより入力装置２００の各部を駆動する。
【００２７】
表示装置３００は、表示部３０１、コネクタ部３０２、検知部３０４、表示処理部３０５、記憶部３０６、および電源制御部３０７を有する。
【００２８】
コネクタ部３０２は、表示装置３００がキャリア１００に装着されたときにキャリア１００の第２コネクタ部１０８と接続し、これによりキャリア１００と表示装置３００とを電気的に接続させるコネクタである。キャリア１００と表示装置３００との間の電源供給経路および伝送経路は、キャリア１００と表示装置３００とが電気的に接続された状態のときに接続され、キャリア１００と表示装置３００とが電気的に切断された状態のときに遮断される。
【００２９】
検知部３０４は、人の存否を検出するための人感センサ３０８を有し、人感センサ３０８の検出結果に基づいて生体情報モニタ１の使用環境およびその変化を検知する。この人感センサ３０８は、例えば赤外線センサやビデオカメラなどであり、表示部３０１の周囲に人がいる場合にこれを感知することができるよう構成されている。したがって、検知部３０４は、表示部３０１の周囲にいた人が表示部３０１の周囲から離れた場合、あるいは表示部３０１の周囲にいなかった人が表示部３０１の周囲に近づいた場合に、使用環境が変化したと判定する。また、検知部３０４は、表示部３０１の周囲にいた人が表示部３０１の周囲に近づいた場合にも、使用環境が変化したと判定する。検知部３０４は、検知した使用環境の変化に応じて検知信号を生成し、この検知信号を表示処理部３０５に伝送する。
【００３０】
なお、医療施設内では、医師や看護師はＰＨＳ（Personal Handy-phone System）を常時保有していることがあるため、このＰＨＳの位置情報を医師や看護師の位置情報として検知部３０４に提供するようにしてもよい。この場合、検知部３０４は、人感センサ３０８を使用しなくても、医師や看護師の位置情報に基づいて、生体情報モニタ１の使用環境（つまり、表示部３０１の周囲に人がいるか否か）およびその変化を上記と同様に検知することができる。
【００３１】
表示処理部３０５は、記憶部３０６に記憶されたプログラムを実行することで、所定の表示処理を実行する。この表示処理によって、表示処理部３０５は、生体情報データを計測値または波形の形式で表示部３０１に表示させる。表示処理部３０５は、外部からコネクタ部３０２を介して受信された生体情報データに対して表示処理を実行する場合は、その生体情報データをリアルタイムで表示部３０１に表示させることができる。ただし、表示処理部３０５は、記憶部３０６に記憶されている生体情報データを読み出し、これに対して表示処理を行うことで、過去の生体情報データをトレンドグラフなどの形式で表示させることもできる。
【００３２】
また、表示処理部３０５は、後述する表示画面切り替え処理を実行し、検知部３０４から伝送された検知信号に応じて、表示部３０１に表示させる計測値の文字サイズまたは文字書体を変更させる。
【００３３】
表示部３０１は、例えばタッチパネルであり、生体情報データを表示する表示機能を有するだけでなく、操作者による入力操作を受け付ける入力部としての機能も有する。表示部３０１は操作者による入力操作を受け付けたときに、その操作の内容に従って表示装置３００内の各部あるいは生体情報モニタ１内の各部を動作させるための操作信号を生成する。生成された操作信号は、表示装置３００内あるいは生体情報モニタ１内の伝送経路を介して適宜伝送される。
【００３４】
記憶部３０６は、表示処理により表示部３０１に表示される生体情報データを記憶する。
【００３５】
電源制御部３０７は、表示装置３００の外部からコネクタ部３０２を介して電源供給を受け、これにより表示装置３００の各部を駆動させる。
【００３６】
ベースユニット４００は、コネクタ部４０４、ネットワークインタフェース部４０７、主電源部４０９、予備電源部４１０、および電源制御部４１１を有する。
【００３７】
コネクタ部４０４は、キャリア１００がベースユニット４００上に載置されてキャリア１００の第３コネクタ部１０７がコネクタ部４０４に接続されたときに、キャリア１００とベースユニット４００とを電気的に接続させるコネクタである。キャリア１００とベースユニット４００との間の電源供給経路および伝送経路は、キャリア１００とベースユニット４００とが電気的に接続された状態のときに接続され、キャリア１００とベースユニット４００とが電気的に切断された状態のときに遮断される。
【００３８】
電源制御部４１１は、コネクタ部４０４を介してキャリア１００内に電源供給を行う。電源制御部４１１は、通常時は主電源部４０９からの供給電源をキャリア１００内に供給するが、非常時（例えば停電時）には代替的に予備電源部４１０からの供給電源をキャリア１００内に供給してもよい。
【００３９】
主電源部４０９は、電源コードコネクタ部４０８（図４参照）に接続された電源コードを介して外部の商用電源６００から電源供給を受け、交流−直流の変換などを行う回路を備えた電源部である。
【００４０】
予備電源部４１０は充電部４１２とバッテリ収容部４１３とを有する。予備電源部４１０は、主電源部４０９を駆動電源として、バッテリ収容部４１３に収容されたバッテリの充電を行う。バッテリ収容部４１３は、後述するキャリア１００内のバッテリ収容部１０９に収容可能なバッテリを収容することができるように構成されている。したがって、予備電源部４１０は、キャリア１００内で使用される予備のバッテリをベースユニット４００において充電することができる。なお、バッテリ収容部４１３に収容されている充電後のバッテリからの電源を非常時用の供給電源として使用可能である。
【００４１】
ネットワークインタフェース部４０７は、ベースユニット４００を通信ネットワーク７００に接続するインタフェースである。ベースユニット４００を通信ネットワーク７００に接続させることで、生体情報モニタ１の入力装置２００および表示装置３００と外部装置との間のデータ通信が可能となる。
【００４２】
キャリア１００は、第１コネクタ部１０５、第２コネクタ部１０８、第３コネクタ部１０７、伝送処理部１１０、電源制御部１１１、および予備電源部１１２を有する。
【００４３】
第１コネクタ部１０５、第２コネクタ部１０８、第３コネクタ部１０７のそれぞれは、前述のとおり、キャリア１００と各コンポーネントとを電気的に接続させる。
【００４４】
伝送処理部１１０は、第１コネクタ部１０５、第２コネクタ部１０８、および第３コネクタ部１０７の間の伝送経路を中継するよう構成されており、入力装置２００、表示装置３００およびベースユニット４００の間のデータ伝送を行う。
【００４５】
予備電源部１１２は、充電部１１３とバッテリ収容部１０９とを有する。予備電源部１１２は、主電源部４０９を駆動電源として、バッテリ収容部１０９に収容されたバッテリの充電を行う。なお、バッテリ収容部１０９に収容されている充電後のバッテリからの電源を非常時用の供給電源として使用可能である。
【００４６】
電源制御部１１１は、入力装置２００および表示装置３００の駆動電源の選択を行う制御部である。すなわち、電源制御部１１１は、キャリア１００内の予備電源部１１２（より具体的にはその内部に収容されたバッテリ）からの供給電源、およびベースユニット４００（主としてベースユニット４００内の主電源部４０９）からの供給電源のいずれか一方を、駆動電源として選択する。例えば、電源制御部１１１は、ベースユニット４００からの供給電源が受けられる状態のときにはベースユニット４００からの供給電源を選択し、そうでない状態のときにはキャリア１００内の予備電源部１１２からの供給電源を選択する。
【００４７】
なお、本実施の形態では、人感センサ３０８を備えた検知部３０４が表示装置３００に装備された場合を例にとって説明したが、この場合に限られない。例えば、医療施設内にビデオカメラ等が設置されている場合、検知部３０４はこのビデオカメラの画像データを取得し、この画像データから生体情報モニタ１の使用環境（つまり、表示部３０１の周囲に人がいるか否か）およびその変化を検知してもよい。この場合、検知部３０４は人感センサ３０８を備えなくてもよい。また、検知部３０４が使用環境の変化に応じて生成した検知信号を表示処理部３０５に伝送するようになっていれば、検知部３０４は生体情報モニタ１の別のコンポーネント（例えばキャリア１００または入力装置２００）に装備されていてもよい。
【００４８】
次いで、本実施の形態の生体情報モニタ１の患者モニタリング動作中に使用環境変化が生じた場合の表示画面切り替え処理動作について説明する。
【００４９】
ここでは、心電電極５０１、血圧測定用カフ５０２、およびＳｐＯ２センサ５０４を用いて患者から計測される生体情報データである、心電図データ、血圧データ、ＳｐＯ２データおよび呼吸データ（心電電極５０１からインピーダンス計測した呼吸データ）がモニタリングされている場合を例にとって説明する。患者モニタリング動作中、図６に示すように、それぞれの波形は波形表示部８０１〜８０４にリアルタイムで表示され、それぞれの計測値は計測値表示部８０５〜８０８にリアルタイムで表示される。
【００５０】
本実施の形態では、患者モニタリング動作中、図７のフローチャートに示す表示画面切り替え処理が表示処理部３０５において実行される。なお、本実施の形態では、表示画面切り替え処理の例として、表示部３０１に表示される計測値の文字のサイズを変更する処理について説明する。
【００５１】
まず、ステップＳ１１では、使用環境の変化として人が表示部３０１の周囲から離れたことが検知されたか否かが判断される。患者モニタリング動作は、タッチパネルである表示部３０１が操作者によって操作されることで開始されるので、モニタリング動作開始時、表示部３０１の周囲には人が存在する。また、通常、操作者はモニタリングの表示画面を表示部３０１の近くで確認するので、モニタリング動作中、表示部３０１の周囲には人が存在するのが一般的である。ただし、その人が表示部３０１の周囲から離れた位置で何らかの作業を行うことが必要となる場合があり得る。そのような場合に、検知部３０４は、検知信号によってその使用環境変化を表示処理部３０５に通知することができる。これにより、表示処理部３０５は、表示部３０１の周囲から人がいなくなったという使用環境変化を認識することができる。
【００５２】
上記の使用環境の変化が認識されない限り（Ｓ１１：ＮＯ）、ステップＳ１１の処理が繰り返され、上記の使用環境の変化が認識された場合には（Ｓ１１：ＹＥＳ）、表示処理部３０５は計測値表示部８０５〜８０８に表示される計測値の文字サイズを拡大する（ステップＳ１２）。
【００５３】
ステップＳ１２が実行されると、例えば図８に示すように、計測値表示部８０５〜８０８に表示される計測値が拡大される（拡大文字サイズ画面）。言い換えれば、計測値が、図６の文字サイズ（通常文字サイズ）に比べて著しく大きい拡大文字サイズで表示される。離れた位置から表示部３０１を見た場合、近い位置から表示部３０１を見た場合に比べてその表示画面全体の視認性は低くなるが、計測値の文字サイズ拡大を行うことで計測値については視認性を向上させることが可能となる。したがって、離れた位置から表示部３０１を見た人は、わざわざ表示部３０１の近くに戻らずとも計測値を確認することができる。
【００５４】
なお、人が表示部３０１の周囲から離れた場合、その人はもはや表示部３０１の表示画面を見なくなっている可能性もあるが、依然として表示画面を見続けている可能性もある。一般的には前者の可能性のほうが高いと考えられるところ、本実施の形態では後者の可能性を想定して敢えて文字サイズを拡大させる。これは、表示部３０１に表示されるものが単なる文字情報ではなく患者の容態に関わる重要な生体情報データであり、たとえ離れた位置からでもそれを画面上で見た人に対しては、患者の容態を瞬時に認識させなければならないからである。
【００５５】
また、本実施の形態では、計測値の文字サイズを拡大する方法として、計測値表示部８０５〜８０８の各領域を左右方向に拡大することなく上下方向にのみ拡大し、その領域内で計測値の文字サイズを大きくする。そのため、波形表示部８０１〜８０４の幅が狭められるなど、波形表示部８０１〜８０４の各領域の変更が生じることはない。したがって、波形の大きさを変更させずに、計測値の文字サイズのみを変更させることができる。計測値の文字サイズを拡大することが波形の振幅やアスペクト比に影響して波形を変形させてしまうと、それを見た者が誤判断をしてしまう虞があるが、本実施の形態では波形の変形が生じないためそのような誤判断を防止することができる。また、離れた位置から表示部３０１を見る場合は、波形ではなく計測値を主として注視するので、計測値のみを拡大すれば十分である。
【００５６】
次に、ステップＳ１３では、使用環境の変化として人が表示部３０１の周囲に近づいたことが検知されたか否かが判断されるとともに、入力操作が行われたか否かが判断される。
【００５７】
表示部３０１の周囲に人が近づいて入力操作が行われない限り（Ｓ１３：ＮＯ）、ステップＳ１３の処理が繰り返され、表示部３０１の周囲に人が近づいて入力操作が行われた場合には（ステップＳ１３：ＹＥＳ）、表示処理部３０５は表示部３０１の画面を図６のような通常文字サイズ画面に戻し、表示される計測値の文字サイズを元に戻す（ステップＳ１４）。
【００５８】
本実施の形態では、単に人が表示部３０１の周囲に近づくだけでは文字サイズは元に戻されず、入力操作があってはじめて文字サイズが元に戻される。そのため、表示画面を見ることがなく入力操作を行うこともない無関係の人が表示部３０１の近くを通過しただけで文字サイズが小さくなることを防ぐことができる。
【００５９】
表示画面切り替え処理はステップＳ１４の後、再度ステップＳ１１に戻る。
【００６０】
このように、本実施の形態によれば、表示部３０１の周囲に人がいるか否かに基づいて生体情報モニタ１の使用環境変化を検知して、表示部３０１に表示される計測値の文字サイズをその変化に応じて変更する。これにより、操作者が一時的に表示部３０１の周囲から離れても、操作者の手を煩わせることなく、表示中の生体情報データ（表示データ）の視認性を自動的に向上させることができる。
【００６１】
なお、表示画面切り替え処理は、表示部３０１に表示される計測値の文字の書体を変更する処理であってもよい。すなわち、計測値の文字のサイズを拡大したり元に戻したりする代わりに、文字の書体を強調用書体（例えば、太文字や影付き文字などの書体）に変更したり元に戻したりしてもよい。また、文字のサイズおよび書体を両方とも変更させてもよい。
【００６２】
（実施の形態２）
図９は、本発明の実施の形態２における生体情報モニタ１の構成を示すブロック図である。実施の形態１において図５を用いて説明した構成部分と同一のまたは対応する構成部分には同一の符号を付している。本実施の形態は主に、外光の明るさに基づいて生体情報モニタ１の使用環境変化を検知する点で実施の形態１と相違するため、その相違点を中心に説明し、実施の形態１と共通する点についてはその詳細な説明を省略する。
【００６３】
図９に示す本実施の形態の生体情報モニタ１は、検知部３０４において照度センサ３０９を有する。
【００６４】
照度センサ３０９は外光の明るさを検出する。よって、検知部３０４は、照度センサ３０９の検出結果に基づいて生体情報モニタ１の使用環境およびその変化を検知する。この照度センサ３０９は、例えばフォトトランジスタなどであり、表示部３０１の周囲の明るさを検出することができるよう構成されている。したがって、検知部３０４は、外光の明るさが所定レベルを上回った場合に、使用環境が変化したと判定する。また、検知部３０４は、外光の明るさが所定レベルを下回った場合にも、使用環境が変化したと判定する。検知部３０４は、検知した使用環境の変化に応じて検知信号を生成し、この検知信号を表示処理部３０５に伝送する。
【００６５】
次いで、本実施の形態の生体情報モニタ１の患者モニタリング動作中に使用環境変化が生じた場合の表示画面切り替え処理動作について説明する。本実施の形態では、患者モニタリング動作中、図１０のフローチャートに示す表示画面切り替え処理が表示処理部３０５において実行される。
【００６６】
まず、ステップＳ２１では、使用環境の変化として表示部３０１の周囲の外光の明るさが所定レベルを上回ったことが検知されたか否かが判断される。本実施の形態の生体情報モニタ１は患者搬送用途に適した構成を採っているため、患者モニタリング動作中に患者とともに移動する場合があり、この移動に伴って外光の明るさが著しく変わる場合がある。具体的には、通常、生体情報モニタ１のモニタ本体１ａは、医療施設内のベッドサイドあるいは救急車内に設置されたベースユニット４００上に載置されており、その状態で患者モニタリング動作が開始される。ところが、患者搬送のため、図１１に示すようにモニタ本体１ａがベースユニット４００から分離されて持ち運ばれることがある。場合によってはモニタ本体１ａが一時的に屋外に持ち出されることがあり、このとき、外光が医療施設内あるいは救急車内の灯りに比べて眩しい場合がある。あるいは、モニタ本体１ａが、暗い廊下を通って非常に明るい手術室に持ち込まれる場合もある。そのような場合に、検知部３０４は、検知信号によってその使用環境変化を表示処理部３０５に通知することができる。これにより、表示処理部３０５は、外光が所定レベルを上回ったという使用環境変化を認識することができる。
【００６７】
上記の使用環境の変化が認識されない限り（Ｓ２１：ＮＯ）、ステップＳ２１の処理が繰り返され、上記の使用環境の変化が認識された場合には（Ｓ２１：ＹＥＳ）、表示処理部３０５は計測値表示部８０５〜８０８に表示される計測値の文字サイズを図８に示すように拡大する（ステップＳ２２）。
【００６８】
外光が所定レベルを上回って眩しくなると表示画面全体の視認性が低下することになるが、本実施の形態では前述のとおり文字サイズが拡大されるので計測値については視認性を向上させることが可能となる。特に患者搬送中は、搬送者が主として注視するものは波形ではなく計測値であるので、計測値のみを拡大すれば十分である。
【００６９】
次に、ステップＳ２３では、使用環境の変化として表示部３０１の周囲の外光の明るさが所定レベルを下回ったことが検知されたか否かが判断される。
【００７０】
上記の使用環境の変化が認識されない限り（Ｓ２３：ＮＯ）、ステップＳ２３の処理が繰り返され、上記の使用環境の変化が認識された場合には（Ｓ２３：ＹＥＳ）、表示処理部３０５は表示部３０１の画面を図６に示すように通常文字サイズ画面に戻し、表示される計測値の文字サイズを元に戻す（ステップＳ２４）。
【００７１】
このように、本実施の形態によれば、表示部３０１の周囲の外光の明るさに基づいて生体情報モニタ１の使用環境変化を検知して、表示部３０１に表示される計測値の文字サイズをその変化に応じて変更する。これにより、搬送者の手を煩わせることなく、表示データの視認性を向上させることができる。
【００７２】
（実施の形態２の変形例）
実施の形態２では、外光が所定レベルを上回ったとき、つまり明るいときに文字サイズを大きくし、外光が所定レベルを下回ったとき、つまり暗いときに文字サイズを小さくしているが、その逆の処理を行ってもよい。すなわち、外光が暗いときに文字サイズを大きくし、外光が明るいときに文字サイズを小さくしてもよい。周囲が暗くなったときに表示部３０１の表示画面全体の輝度を低下させるような制御が表示装置３００において行われている場合、例えば計測値の表示色によってはその視認性が低下する虞がある。本変形例では、そのような視認性低下を防止することができる。
【００７３】
（実施の形態３）
図１２は、本発明の実施の形態３における生体情報モニタ１の構成を示すブロック図である。上記実施の形態１、２において図５、９を用いて説明した構成部分と同一のまたは対応する構成部分には同一の符号を付している。本実施の形態は主に、モニタ本体１ａがベースユニット４００上に載置されているかベースユニット４００から分離されているかに基づいて生体情報モニタ１の使用環境変化を検知する点で上記実施の形態１、２と相違する。よって、本実施の形態ではその相違点を中心に説明し、実施の形態１、２と共通する点についてはその詳細な説明を省略する。
【００７４】
図１２に示す本実施の形態の生体情報モニタ１は、検知部３０４においてセンサを有しておらず、また、キャリア１００においてロック検出センサ１１４を有する。
【００７５】
ロック検出センサ１１４は、モニタ本体１ａがベースユニット４００に載置されているときに、ベースユニット４００によってモニタ本体１ａがロックされている状態をロック状態として検出するセンサであればよく、例えば機構的にロック状態を検知するセンサである。ロック検出センサ１１４は、検出結果に基づいた検出信号を出力する。この検出信号は、キャリア１００および表示装置３００の伝送経路を介して検知部３０４に伝送される。
【００７６】
検知部３０４はロック検出センサ１１４の検出結果に基づいて生体情報モニタ１の使用環境およびその変化を検知する。すなわち、検知部３０４は、モニタ本体１ａがベースユニット４００から分離された場合に、使用環境が変化したと判定する。また、検知部３０４は、モニタ本体１ａがベースユニット４００に載置された場合にも、使用環境が変化したと判定する。検知部３０４は、検知した使用環境の変化に応じて検知信号を生成し、この検知信号を表示処理部３０５に伝送する。
【００７７】
なお、本実施の形態では、モニタ本体１ａがベースユニット４００から分離されているか載置されているかの判断材料を検知部３０４に提供するセンサとして、キャリア１００のロック検出センサ１１４が用いられているが、別のセンサを使用してもよい。例えば、モニタ本体１ａとベースユニット４００との電気的な接続状態を検出するセンサなどが使用可能である。
【００７８】
次いで、本実施の形態の生体情報モニタ１の患者モニタリング動作中の使用環境変化が生じた場合の表示画面切り替え処理動作について説明する。本実施の形態では、患者モニタリング動作中、図１３のフローチャートに示す表示画面切り替え処理が表示処理部３０５において実行される。
【００７９】
まず、ステップＳ３１では、使用環境の変化としてモニタ本体１ａがベースユニット４００から分離されたことが検知されたか否かが判断される。
【００８０】
上記の使用環境の変化が認識されない限り（Ｓ３１：ＮＯ）、ステップＳ３１の処理が繰り返され、上記の使用環境の変化が認識された場合には（Ｓ３１：ＹＥＳ）、表示処理部３０５は計測値表示部８０５〜８０８に表示される計測値の文字サイズを図８に示すように拡大する（ステップＳ３２）。
【００８１】
通常、モニタ本体１ａは、患者搬送時にベースユニット４００から分離される。その場合、搬送者は波形よりも計測値を注視することが多い。本実施の形態では、モニタ本体１ａがベースユニット４００から分離されたときに計測値の文字サイズが拡大されるため、患者搬送時において計測値の視認性を向上させることができる。
【００８２】
次に、ステップＳ３３では、使用環境の変化としてモニタ本体１ａがベースユニット４００に載置されたことが検知されたか否かが判断される。
【００８３】
上記の使用環境の変化が認識されない限り（Ｓ３３：ＮＯ）、ステップＳ３３の処理が繰り返され、上記の使用環境の変化が認識された場合には（Ｓ３３：ＹＥＳ）、表示処理部３０５は表示部３０１の画面を図６に示すように通常文字サイズ画面に戻し、表示される計測値の文字サイズを元に戻す（ステップＳ３４）。
【００８４】
このように、本実施の形態によれば、モニタ本体１ａがベースユニット４００上に載置されているかベースユニット４００から分離されているかに基づいて生体情報モニタ１の使用環境変化を検知して、表示部３０１に表示される計測値の文字サイズをその変化に応じて変更する。これにより、搬送者の手を煩わせることなく、表示データの視認性を向上させることができる。
【００８５】
以上、本発明の実施の形態について説明したが、以上の説明は本発明の好適な実施の形態の例証であり、本発明の範囲はこれに限定されるものではない。よって、上記実施の形態は、種々変更して実施可能である。
【００８６】
また、上記各実施の形態は、適宜組み合わせて実施可能である。
【符号の説明】
【００８７】
１  生体情報モニタ
１ａ  モニタ本体
１００  キャリア
１００ａ  キャリア本体
１０１  把手部
１０２  第1装着部
１０３  第２装着部
１０４  底部
１０５  第１コネクタ部
１０７  第３コネクタ部
１０８  第２コネクタ部
１０９、４１３  バッテリ収容部
１１０  伝送処理部
１１１、２０５、３０７、４１１  電源制御部
１１２、４１０  予備電源部
１１３、４１２  充電部  １１４  ロック検出センサ
２００  入力装置
２０１  入力コネクタ部
２０２、３０２、４０４  コネクタ部
２０３  計測処理部
２０４、３０６  記憶部
３００  表示装置
３０１  表示部
３０４  検知部
３０５  表示処理部
３０８  人感センサ
３０９  照度センサ
４００  ベースユニット
４０７  ネットワークインタフェース部
４０９  主電源部
【図１】
2014161681.tif 000003
【図４】
2014161681.tif 000004
【図５】
2014161681.tif 000005
【図６】
2014161681.tif 000006
【図７】
2014161681.tif 000007
【図８】
2014161681.tif 000008
【図９】
2014161681.tif 000009
【図１０】
2014161681.tif 000010
【図１２】
2014161681.tif 000011
【図１３】
2014161681.tif 000012
【図２】
2014161681.tif 000013
【図３】
2014161681.tif 000014
【図１１】
2014161681.tif 000015